(57)【要約】【課題】内部にフィルターリング手段を備えたピストンを用いて吸入された脂肪からフリーオイル成分を容易に分離しながらピストン後方に自動で排出するように構成した脂肪吸入移植用注射器のピストンを提供する。【解決手段】注射器形態の容器内部に配置され、シャフト無しで構成される脂肪吸入移植用注射器のピストンにおいて、シャフトがないピストン本体と、前記ピストン本体の外面に結合されて容器のシリンダー内壁との気密を維持するパッキンと、ピストン本体の前後方を連通するように形成されるフリーオイル排出口と、前記フリーオイル排出口を開閉するための開閉手段と、前記フリーオイル排出経路上に、脂肪は通過させなく、フリーオイルは通過させられるような穴大きさを有するフィルターと、を備えてなる脂肪吸入移植用注射器のピストンを提供する。
2007533396.tif 000002
【特許請求の範囲】
【請求項１】
注射器形態の容器内部に配置され、シャフト無しで構成される脂肪吸入移植用注射器のピストンにおいて、
シャフトがないピストン本体と、
前記ピストン本体の外面に結合されて容器のシリンダー内壁との気密を維持するパッキンと、
ピストン本体の前後方を連通するように形成されるフリーオイル排出口と、
前記フリーオイル排出口を開閉するための開閉手段と、
前記フリーオイル排出経路上に備えられ、脂肪は通過させなく、フリーオイルは通過させるフィルターリング手段と、
を備えてなることを特徴とする脂肪吸入移植用注射器のピストン。
【請求項２】
前記ピストンには、ピストンの総重量を増加させるウェイトがさらに備えられることを特徴とする請求項１に記載の脂肪吸入移植用注射器のピストン。
【請求項３】
前記ウェイトが、金属製のリング状に形成され、ピストン本体の後方側に結合されることを特徴とする請求項２に記載の脂肪吸入移植用注射器のピストン。
【請求項４】
前記フィルターリング手段が、１０〜１００μｍの穴大きさを持つ網目状フィルターであることを特徴とする請求項１または２に記載の脂肪吸入移植用注射器のピストン。
【請求項５】
前記フィルターは、ピストン本体の先端部に形成されたフィルター溝に結合され、該フィルター溝は、ねじ結合構造を有し、フリーオイルが通過するように前後面を貫通する複数の穴が形成されたキャップにより閉じ、該キャップを外して内部のフィルターを入れ替えるようになっていることを特徴とする請求項４に記載の脂肪吸入移植用注射器のピストン。
【請求項６】
前記キャップの前方部には、容器の先端部と対応する形状の突起が形成されたことを特徴とする請求項５に記載の脂肪吸入移植用注射器のピストン。
【請求項７】
前記フリーオイル排出口は、ピストン本体の先端と後端を貫通するように形成された複数の穴からなり、前記ピストン本体の後端に結合されるパッキンと、該パッキンを固定するロックねじとからなる開閉手段により開閉されることを特徴とする請求項１または２に記載の脂肪吸入移植用注射器のピストン。
【請求項８】
前記フリーオイル排出口は、ピストン本体の先端と後端を貫通するように形成された複数の穴からなり、前記ピストン本体の後端に結合されるパッキンと、該パッキンを固定するロックねじとからなる開閉手段により開閉されることを特徴とする請求項４に記載の脂肪吸入移植用注射器のピストン。
【請求項９】
前記フィルターリング手段は、前記フリーオイル排出口の前方側を密閉するキャップと、ピストン本体に形成され、脂肪は通過させなく、フリーオイルは通過させるように容器の内周面と一定の間隔を維持するフィルターリング外周面と、このフィルターリング外周面とパッキンとの間においてピストン本体のフリーオイル排出口とキャップとの間に連通するように形成された貫通穴と、からなることを特徴とする請求項１または２に記載の脂肪吸入移植用注射器のピストン。
【請求項１０】
前記容器の内周面とフィルターリング外周面との間隔は、１０〜１００μｍであることを特徴とする請求項９に記載の脂肪吸入移植用注射器のピストン。
【請求項１１】
前記フィルターリング手段は、前記フリーオイル排出口の前方側を密閉するキャップと、ピストン本体に形成され、脂肪はろ過し、フリーオイルは通過させるように容器の内周面と一定の間隔を維持するフィルターリング外周面と、このフィルターリング外周面とパッキンとの間に、ピストン本体のフリーオイル排出口とキャップ間に連通するように形成された貫通穴と、からなることを特徴とする請求項７に記載の脂肪吸入移植用注射器のピストン。
【請求項１２】
前記フリーオイル排出口は、ピストン本体の先端と後端を貫通するように形成された一つの中央穴からなり、この中央穴の両側入口に設置され、外力により開閉動作する第１及び第２チェックバルブと、この第１及び第２チェックバルブをピストン本体内にそれぞれ固定するためのもので、中央に貫通穴が形成された第１及び第２固定カバーとからなる開閉手段により開閉されることを特徴とする請求項１または２に記載の脂肪吸入移植用注射器のピストン。
【請求項１３】
前記フリーオイル排出口は、ピストン本体の先端と後端を貫通するように形成された一つの中央穴からなり、この中央穴の両側入口に設置され、外力により開閉動作する第１及び第２チェックバルブと、この第１及び第２チェックバルブをピストン本体内にそれぞれ固定するためのもので、中央に貫通穴が形成された第１及び第２固定カバーとからなる開閉手段により開閉されることを特徴とする請求項４または９に記載の脂肪吸入移植用注射器のピストン。
【発明の詳細な説明】
【技術分野】
【０００１】
本発明は、脂肪吸入移植用注射器に使用するピストンに係り、より詳細には、内部にフィルターリング手段を備えたピストンを用いて吸入された脂肪からフリーオイル成分を容易に分離しながらピストン後方に自動で排出するように構成した脂肪吸入移植用注射器のピストンに関する。
【背景技術】
【０００２】
脂肪移植は、人体で軟部組織のボリュームを増大させるための手段であり、特に、顔面のシワ除去や凹み治療など美容目的に多用されているが、吸収によりボリュームが減少するのが、最大の短所であった。
【０００３】
ボリューム吸収は、ひどい場合には全体移植量の８０〜９０％が生存できずに怪死し吸収されるので、再手術しなければならないことがあり、しかも、吸収される過程で怪死した組織が感染源として働いたり、その分解物質が毒性を示すことがあり、ひどい傷跡組織が生成されたり、周囲の正常組織まで破壊してしまう問題があった。
【０００４】
自家脂肪移植のために吸入した脂肪から必ず除去すべき成分には、赤血球、及び壊れた脂肪細胞から遊離したフリーオイル(free oil)などがある。赤血球は、体内の血管を外れると、分解されながらトロンボキサンＡ２(Thromboxane A2)を生成し、これはイオン化した自由基(free
radical)として働いて正常組織及び脂肪細胞を破壊し、結果として脂肪生着率を大きく低下させてしまう。
【０００５】
フリーオイルは、貯蔵容器のように機能する脂肪細胞を外れると、分解してイオン化しながら酸の一種である遊離脂肪酸（free fatty acid）となり、これもまた、自由基として働いて正常組織と正常脂肪細胞を破壊するので、脂肪生着率を低下させてしまうると同時に、怪死した物質を増加させて他の２次的な炎症と細菌の培養確率を増加させる培養培地となることがある。また、フリーオイルは、脂肪細胞の壁と細胞同士間に残って被膜のように作用し、移植された脂肪細胞生存に決定的に必要な酸素供給を妨げ、脂肪細胞が怪死する重要な原因となる。
【０００６】
これら理由から、通常、フリーオイルは脂肪移植前に除去せねばならないが、一部が一緒に移植されて問題につながることがある。特に、移植量が多い場合には、移植空間の下方にフリーオイルが集まり、炎症を誘発したり組織を破壊したりし、肉芽腫(granuloma)を大きく形成して腫塊(tumor)のように手に感じられることもある。
【０００７】
従来は、このような赤血球とフリーオイルを除去するために、次のような方法が取られてきた。その一つは、最も原始的な方法であり、吸入した脂肪をじょうご形状の容器に入れ、混合物の分離ができるまでそのまま放置しておく方法である。すなわち、時間の経過とともに、吸入した脂肪は、下から血液、体液、純粋脂肪の順に徐々に層を形成し、純粋脂肪層が明るい黄色を帯びるまで不純物を排出させる。しかしながら、この方法だけではフリーオイルを個別に分離し難く、長時間がかかってしまう。
【０００８】
第二は、吸入した脂肪を布切れで包んで手動で絞って不純物を分離する方法である。ここで、絞る力は、脂肪を圧搾して脂肪細胞からフリーオイルを分離可能にし、布切れは、各種不純物をろ過するフィルターの役割を担う。しかしながら、この方法もまた、長時間がかかるという短所の他に、分離過程が面倒で、何よりも空気接触による感染の恐れがある。
【０００９】
第三は、注射器形態の容器に脂肪を吸入した後、遠心分離をする方法である。吸入した脂肪が遠心分離を経ると、赤血球は最も下層に位置し、他の成分と比較的に明確に区分されるが、フリーオイルは最も上層に位置して脂肪細胞層上部と連続線上にありながら一部が混ざり合っている。赤血球を除去するためには、容器の上から圧力を加えなければならず、この際に上層のフリーオイルと純粋脂肪が再び混ざり合う可能性がある。したがって、まずはフリーオイルを除去する必要がある。このためには、容器上層に注射針を挿入してフリーオイルだけを抽出しても良く、ピストンやキャップを外した後に容器を逆さまにして直接排出しても良い。その後、最上層に純粋脂肪だけ存在する状態で容器の上から圧力を加えて脂肪を圧搾すると同時に赤血球を排出させる。しかしながら、前者のフリーオイル排出方法は、時間と労働力がかかり、後者の方法は、空気接触による感染と純粋脂肪の損失という問題がある。
【００１０】
このように、上記の各方法では、吸入した脂肪から、最も比重の高い赤血球と最も比重の低いフリーオイルを同時に分離し難いため、工程が面倒になったり、感染の心配から自由になれなかった。特に、フリーオイルが效果的に分離されないため、結局として、望むボリューム代替効果が十分に得られない問題があった。
【００１１】
第四は、本発明者により考案された、注射器形態の容器内部にシャフト(shaft)無しで構成され、空気と水分は通過させるが、脂肪は通過させないこし網を備えた構造の脂肪吸入移植注射器のピストンヘッド(韓国登録実用新案第０３２７３７４号)を用い、外部空圧により脂肪を吸入する過程で空気や水分を同時に除去し、移植前段階でこれを加圧して脂肪に含まれた水分やフリーオイルをろ過する方法である。この方法は、一般注射器形態の容器と外部の空圧を使用することによって、脂肪吸入効率を画期的に向上させることができ、遠心分離過程無しにも脂肪の圧搾が可能で、処理過程で外部空気との接触による汚染の可能性がほとんどなく、且つ、上述した他の各方法に比べて赤血球及びフリーオイルの除去効率にも優れている長所があるが、圧搾過程で脂肪同士間に含まれている一部フリーオイルや赤血球が残る可能性があるだけでなく、圧搾圧力または吸入圧力が適度にかつ高精度に制御されないと、脂肪細胞も一緒に排出され損失される恐れがある。また、外部空圧によりフリーオイル等の体液をフィルターに強制通過させるため、フィルター穴の大きさが５〜５０μｍ程度と非常に小さく、それだけフィルター穴が詰まる可能性も大きくなる。しかも、フィルター層が極細かくて精密に形成されないと、脂肪成分の流出を防ぐことができないという問題があった。
【発明の開示】
【発明が解決しようとする課題】
【００１２】
本発明は、内部にフィルターリング手段を備えたピストンを介して吸入された脂肪のフリーオイル成分を、遠心分離工程により容易に分離しながら、ピストンの後方に自動で排出させるように構成した脂肪吸入移植注射器のピストンを新規に提示することによって、採取された脂肪細胞の損失無しでより高精度のフリーオイル除去能力を実現し、汚染・感染の危険性を減らし、かつ、脂肪生着率を高めることにその目的がある。
【課題を解決するための手段】
【００１３】
上記の目的を達成するために、本発明に係る脂肪吸入移植用注射器のピストンは、注射器形態の容器内部に配置され、シャフト無しで構成される脂肪吸入移植用注射器のピストンにおいて、シャフトがないピストン本体と、前記ピストン本体の外面に結合されて容器のシリンダー内壁との気密を維持するパッキンと、ピストン本体の前後方を連通するように形成されるフリーオイル排出口と、前記フリーオイル排出口を開閉するための開閉手段と、前記フリーオイル排出経路上に備えられ、脂肪は通過させなく、フリーオイルは通過させるフィルターリング手段と、を備えてなることを特徴とする。
【００１４】
ここで、前記ピストンには、ピストンの総重量を増加させるウェイトがさらに備えられることができる。
【００１５】
また、前記フィルターリング手段は、１０〜１００μｍの穴大きさを持つ網目状フィルターであると好ましい。
【００１６】
また、前記フリーオイル排出口は、ピストン本体の先端と後端を貫通するように形成された複数の穴からなり、前記ピストン本体の後端に結合されるパッキンと、該パッキンを固定するロックねじとからなる開閉手段により開閉されることができる。
【００１７】
また、前記フィルターリング手段は、前記フリーオイル排出口の前方側を密閉するキャップと、ピストン本体に形成され、脂肪は通過させなく、フリーオイルは通過させるように容器の内周面と一定の間隔を維持するフィルターリング外周面と、このフィルターリング外周面とパッキンとの間においてピストン本体のフリーオイル排出口とキャップとの間に連通するように形成された貫通穴と、からなることが好ましい。
【００１８】
また、前記フリーオイル排出口は、ピストン本体の先端と後端を貫通するように形成された一つの中央穴からなり、この中央穴の両側入口に設置され、外力により開閉動作する第１及び第２チェックバルブと、この第１及び第２チェックバルブをピストン本体内にそれぞれ固定するためのもので、中央に貫通穴が形成された第１及び第２固定カバーとからなる開閉手段により開閉されることができる。
【発明の効果】
【００１９】
本発明によれば、脂肪からフリーオイルを分離する工程が非常に簡易化するため、省力化が図られ、また、採取された脂肪細胞の損失がなく、汚染・感染の危険性のない完壁なフリーオイル分離で脂肪の生着率を向上させることができ、結果として、大量の脂肪移植を可能にし、乳房拡大のような多量のボリューム代替が必要な手術に效果的に適用することが可能になる。
【発明を実施するための最良の形態】
【００２０】
以下、添付の図面に基づき、本発明の好適な実施形態について詳細に説明する。
図１及び図２は、本発明の第１実施形態によるピストン構造を示す図であり、図３は、ピストンが容器に結合された状態を示す図である。第１実施形態によるピストンａは、シャフトのないピストン本体１０と、ピストン本体１０の外面に結合されて容器ｂのシリンダー内壁との気密を維持するパッキン２０と、ピストン本体１０の前方と後方を通するように形成されるフリーオイル排出口３０と、この排出口３０を開閉する開閉手段４０と、フリーオイル排出通路に形成されるフィルターリング手段とを備えてなり、ピストン本体１０の後部にはウェイト６０がさらに結合される。これら各構成要素は、人体に無害な素材で作られる。
【００２１】
容器ｂは、空気接触のない状態で脂肪吸入過程も脂肪移植過程もできるように構成される。このために容器ｂは注射器の形態とし、該容器ｂの後方には、容器を密閉する後方栓１１０が結合される。この後方栓１１０は、外部空圧ユニットと連結可能な構造とされる。また、容器ｂの先端部には、身体中に刺し込んで脂肪を吸入または注入するカニューレ１００が脱着自在に取り付けられ、このカニューレ１００を閉じ、遠心分離時に、容器ｂ内部に満ちている内容物が外部に漏れるのを防ぐ前方栓１３０が脱着自在に取り付けられる。
【００２２】
ピストンａを構成するピストン本体１０は、容器ｂ内部のシリンダー壁に密着した状態で前後進しながら脂肪を吸入したり排出するもので、シャフトのない構造であり、容器ｂの後方栓１１０と連結される外部空圧ユニットにより提供される陰圧または陽圧がシャフトの役割を担う。
【００２３】
また、ピストン本体１０は、合成樹脂で成型してなる円筒状のもので、外周面に２つの環状溝１１が形成されており、ここにパッキン２０が嵌着される。リング状のパッキン２０は、ゴムリングまたはシリコンリングのような一般のパッキン部材であり、ピストン本体１０に形成された溝１１に嵌着されることによって、ピストンａと容器ｂとの接触面を気密状態に維持する機能を遂行する。
【００２４】
フィルターリング手段は、脂肪細胞は通過させなく、フリーオイルは通過させられるような穴大きさを持つ円形の網目構造のフィルター５０からなる。フィルター５０は、遠心分離時に自動でフリーオイルを通過させる一方で脂肪細胞は通過させないことで、純粋脂肪だけが得られるようにするもので、遠心力により赤血球、脂肪及びフリーオイルが容器内で層を形成しながら分離される過程において、フリーオイルのみをピストンの後方区域に通過させることによって脂肪成分からフリーオイルを自動で分離させる機能を担う。
【００２５】
このフィルター５０の穴大きさは、略１０〜１００μｍにすると良い。具体的に、フィルター５０は、遠心分離による比重差によりフリーオイルが染み出る形に通過される方式となるので、１００μｍ程度と多少穴の大きいフィルターを厚く形成したり複層にしたりして使用しても良く、５０μｍまたはそれ以下の多少穴の小さい網目状のフィルターを１層または２〜３層にして使用しても良い。
【００２６】
また、ピストン本体１０の先端部には、フィルター５０がはめ込まれるフィルター溝１２が形成され、このフィルター溝１２の内周面にはねじが刻まれ、ここにキャップ１３が螺合される。したがって、製造段階または使用段階で使用目的や状況に応じてフィルター５０を容易く入れ替えることができ、穴の大きさを選択して使用することができる。
【００２７】
キャップ１３は、円盤型とされ、外周面に刻まれたねじ１３ａによりフィルター溝１２に結合される。また、吸入された脂肪が出入り可能なように、キャップ前後部を貫通する複数の穴１３ｂが形成されており、前方部には容器ｂの先端部に対応する形状の突起１３ｃが形成されている。穴１３ｂの大きさは、脂肪の出入時に組織が損傷されない程度の大きさであれば良い。
【００２８】
また、キャップ１３は、外周面に形成されたねじによりフィルター溝１２に着脱自在に結合されることによって、ピストンａの製作または使用に当たり、注文者または使用者のニーズに合う規格のフィルターに簡便に入れ替え可能にする利点を提供する。また、キャップ１３の先端に形成された突起１３ｃは、ピストンａが容器ｂ内に結合される際に、ピストンの先端が容器の先端部に隙間なく挿着され、脂肪吸入時に圧縮率の大きい空気が容器内に残存するのを防止して吸入効率を増大させる機能を担い、脂肪の注入時には、容器内の脂肪を最後まで押し出して脂肪の損失を最小限に抑える利点を提供する。
【００２９】
本実施形態におけるフリーオイル排出口３０は、フィルター５０を通過するフリーオイルが脂肪細胞から分離されて容器ｂ内のピストンａの後方区域に移動できるようにする通路で、ピストン本体１０先端のフィルター溝１２とピストン本体１０の後端を貫通するように形成した４個の穴で構成される。
【００３０】
フリーオイル排出口３０の開閉のための開閉手段４０は、身体から脂肪を吸入するか、または容器ｂ内の脂肪を身体に注入する時に、フリーオイル排出口３０を塞ぐことによってピストンａに外部空圧ユニットにより陰圧または陽圧が加えられるようにし、遠心分離時にはフリーオイル排出口３０を開き、フィルター５０を通過したフリーオイルが容器ｂの後方に抜け出るように機能する。
【００３１】
このフリーオイル排出口３０の開閉手段４０は、容器内に生体成分が満ちている状態で、外部操作により安全で汚染の心配なく排出口を開閉できるように機能する多様な方式で構成可能である。
【００３２】
本実施形態における開閉手段４０は、ピストン本体１０の中心部にねじ穴４１を形成し、その周囲にフリーオイル排出口３０を形成し、ピストン本体１０の後端にフリーオイル排出口３０が含まれるようにパッキン溝４２を形成し、パッキン溝にはめ込まれる環状のパッキン４３をロックねじ４４に嵌めた後、このロックねじ４４をねじ穴４１に締め付けることで、フリーオイル排出口３０を開閉する構造となっている。
【００３３】
ここで、フリーオイル排出口３０及び開閉手段４０は、脂肪吸入と移植時には、ロックねじ４４を完全に締め付けて圧力が漏れるのを防止し、吸入完了後には、ロックねじ４４をすこし緩め、遠心分離の間にフリーオイルがフリーオイル排出口３０とパッキン４３間の空間から完全にピストン後方に抜け出るようにする。ロックねじ４４を緩めたり締めたりする際に、多少長めのドライバーを使って容器ｂのピストンａが位置した外壁に圧力を加えた状態で緩めたり締めたりすることで、容器ｂに脂肪などが入っている状態でも容易にフリーオイル排出口３０を開閉することができる。
【００３４】
ウェイト６０は、遠心分離時に、脂肪を積極的でに圧搾してフリーオイル分離の機能を向上させるためのもので、ピストン自体を重い素材とすることでウェイト機能を兼ねるように構成することができ、図４に示すように、ピストン後端のパッキン４３がはめ込まれるパッキン溝４２の周りに環状の溝６１を形成し、ここに金属製のリング状のウェイト６０を結合した構造にすることもでき、このウェイトの重量により遠心分離の間にピストンがより容易に前進して脂肪を圧搾し、その結果、フリーオイルがより効率的に排出されるようになる。
【００３５】
以上の構成により脂肪吸入、純粋脂肪分離、脂肪移植を行う過程を、図５を参照して説明すると、下記の通りである。
[脂肪吸入過程]
容器ｂの先端部にカニューレ１００を結合させ、容器内部にはピストンａを配置させるものの、ピストンのロックねじ４４をロックしてフリーオイル排出口３０が完全に閉じるようにする。その後、容器の後方に後方栓１１０を閉じ、後方栓１１０に外部空圧ユニット１２０を連結し陽圧を提供することによってピストンａを容器ｂの最先端部まで押し入れる。カニューレ１００を身体内に刺し込んだ後にピストンａの後方空間に陰圧を形成してピストン前方空間に人体から採取した脂肪を貯蔵する(図５の（ａ）)。
[純粋脂肪分離過程]
脂肪吸入が完了した後に、容器ｂの先端部にカニューレの代わりに前方栓１３０を取り付け（図３参照）、後方栓１１０を外した後にロックねじ４４を緩めてフリーオイル排出口３０を開放させる。容器ｂを遠心分離機１４０に入れて遠心分離を行うと、比重差により血液＋体液、脂肪成分の順に分離される。遠心分離の間に容器の上層は脂肪成分により占められ、この脂肪成分がピストンａのフィルター５０によりろ過され、脂肪細胞は通過されなく、フリーオイルはフィルター５０を通過してフリーオイル排出口３０を通ってピストンａの後方に自動で排出される。ウェイト６０がピストンａにさらに結合されると、遠心分離の間にピストンａを前進させて脂肪を圧搾し、フリーオイルがよりうまく排出されるようにする。容器ｂを逆さまに立ててフリーオイルを完全に除去した後に、ロックねじ４４を締め付けてフリーオイル排出口３０を閉じた後、再び後方栓１１０を結合させる。その後、容器ｂ先端部の前方栓１３０を外し、後方栓１１０に空圧ユニットを結合してピストンの後方に陽圧を徐々に加えると、血液と体液が排出され、ピストン前方空間には純粋脂肪だけ残るようになる（図５の（ｂ））。
図５の例では、ローターが止まった状態では容器ｂが垂直に立てられ、ローターが回転すると容器ｂが水平になりながら遠心分離されるスイングアウト型ローターを持つ遠心分離機１４０を使用した。
[脂肪移植過程]
容器ｂ先端にカニューレ１００を結合して身体の望む部位に刺し込んだ後、ピストンａの後方空間に陽圧を加えて純粋脂肪を身体に直接注入するか（図５の（ｃ））、純粋脂肪を適切な形態の注射器に移して身体に注入する。
【００３６】
図６は、６０ｃｃ容量の注射器形態の容器に、本発明によるピストンと一般ピストンをそれぞれ適用した場合の遠心分離状態を比較した結果写真であり、<網目ピストン>と表記された左写真が、本発明のピストンが適用された場合の結果であり、<一般ピストン>と表記された右写真が、一般ピストンが適用された場合の結果である。この例に適用された本発明のピストンは、フィルター溝に、ステンレススチール（ｓｕｓ３０４）からなる穴大きさ６０μｍの網目フィルター１枚をはめ込み、ねじ穴の周りに直径２ｍｍ大きさのフリーオイル排出口を４個形成したピストン（重さ約８．５ｇ（網目フィルタ包含））にリング状のウェイト（重さ約１３ｇ）をさらに備えて全体重さを２１．５ｇにしたものであり、一般ピストンは、ピストン中にフリーオイルが通過する穴がない構造の一般ピストンであり、シャフト（shaft）を除去した状態である。両者とも空圧を使って同量の脂肪を採取し、５０００ｒｐｍで遠心分離される。この結果から分かるように、一般ピストンの場合では、容器の下層に赤血球が位置し、最上層にフリーオイル＋脂肪の混合層が形成されるに対し、本発明のピストンが適用された場合では、フリーオイルと脂肪層との間にピストンが介在しており、脂肪層とフリーオイル層が明確に分離される。
【００３７】
このような結果は、遠心分離過程において相対的に比重の小さい脂肪細胞とフリーオイルが赤血球層と分離されて回転中心側に押し出されながら、脂肪細胞はフィルターにかかって移動が制限され、フリーオイルは自動でフィルターを通過してピストン外側に移動することで脂肪細胞とフリーオイルとが分離され、同時にピストンが遠心力により前進して脂肪細胞を積極的に圧搾することで脂肪細胞に付いたフリーオイルまでピストン後方に排出させる相互作用により、フリーオイルと脂肪の分離がなされたためといえる。この遠心分離の間に、ウェイトは、ピストンを前進させ、脂肪をより強く圧搾してフリーオイルがよりうまく排出されるようにする。
【００３８】
図７及び図８は、本発明の第２実施形態によるピストン構造を示す図であり、図９乃至図１１は、本実施形態によるピストンの作用を示す図である。第２実施形態は、上記の第１実施形態と略同様な構成及び作用を有し、ただし、ピストン本体１０Ａの前後方を貫通して形成されるフリーオイル排出口３００と、このフリーオイル排出口３００を開閉するための開閉手段４００の構成及び作用が異なる。したがって、第１実施形態と同一の構成には同一の符号を付し、その詳細説明は省略するものとする。
【００３９】
第２実施形態におけるフリーオイル排出口３００は、ピストン本体１０Ａの先端と後端を貫通するように形成された一つの中央穴とされ、これを開閉する開閉手段４００は、本体のフリーオイル排出口３００の両側の入口にそれぞれ取り付けられ、外力により開閉動作する薄い板状の第１及び第２チェックバルブ４０１，４０２と、この第１及び第２チェックバルブ４０１，４０２をピストン本体１０Ａ内にそれぞれ固定するためのもので、中央に貫通穴が形成された第１及び第２固定カバー４０３，４０４とからなる。
【００４０】
第１及び第２チェックバルブ４０１，４０２は、図７に示すように、固定カバー４０３，４０４により本体１０Ａ内に固定される周縁部４０１ａ，４０２ａと、この周縁部に一部のみ連結部４０１ｃ，４０２ｃを介して連結され、フリーオイル排出口３００を開閉可能なサイズで形成された開閉部４０１ｂ，４０２ｂと、でそれぞれ構成され、開閉部４０１ｂ，４０２ｂは、連結部４０１ｃ，４０２ｃによりそれぞれ支持されて自在に屈曲変形されることによって、外力によりフリーオイル排出口３００を容易に開閉可能にする。
【００４１】
このような第２実施形態の構成によれば、第１実施形態と同様に、脂肪吸入過程、純粋脂肪分離過程、脂肪移植過程を行うことができる。すなわち、脂肪吸入過程では、図９に示すように、ピストンａの後方空間に陰圧を形成すると、後方側の第２チェックバルブ４０２の開閉部４０２ｂは、陰圧作用によりフリーオイル排出口３００から離れて開放される。一方、前方側チェックバルブ４０１の開閉部４０１ｂは、後方空間の陰圧により、フリーオイル排出口３００により強く密着され、フリーオイル排出口３００を閉じるようになる。したがって、ピストンａを容器ｂの後方空間に移動させ、ピストンａの前方空間に人体から採取した脂肪を貯蔵できるようになる。
【００４２】
また、脂肪吸入が完了した後、遠心分離機１４０（図５の（ｂ）参照）による純粋脂肪分離過程では、図１０に示すように、前方側の第１チェックバルブ４０１の開閉部４０１ｂは、遠心分離機の遠心力により遠心力作用方向に変形するので、フリーオイル排出口３００から離れて開放される。これと同時に、ウェイト６０は遠心力によりピストンａを前方側に加圧して前方空間の脂肪を圧搾するので、フリーオイルはフリーオイル排出口３００に流入する。後方側の第２チェックバルブ４０２の開閉部４０２ｂは、フリーオイル排出口３００に流入するフリーオイルにより押し付けられて開放され、よって、第１及び第２チェックバルブ４０１ｂ，４０２ｂとも開くようになる。したがって、フリーオイルは、フリーオイル排出口３００からピストンａの後方空間に排出される。
【００４３】
そして、容器ｂ内の脂肪は、比重差により血液＋体液、脂肪成分の順に分離され、遠心分離の間に容器の上層は脂肪成分により占められる。脂肪成分のうち脂肪細胞は、ピストンａのフィルター５０を通過しなく、フリーオイルは、フィルター５０を通過してフリーオイル排出口３００からピストンａの後方に自動で排出される。
【００４４】
また、脂肪移植過程では、図１１に示すように、ピストンａの後方空間に陽圧を加えると、この陽圧により、後方側の第２チェックバルブ４０２の開閉部４０２ｂは、フリーオイル排出口３００により強く密着されて閉じる。したがって、ピストンａを陽圧により前方側に移動させ、脂肪を身体に直接注入したり、純粋脂肪を適宜形態の注射器に移して身体に注入することができる。
【００４５】
このように、第２実施形態の構成によっても、第１実施形態と同様に、脂肪吸入過程、純粋脂肪分離過程及び脂肪移植過程を行うことができ、さらに、これらの過程を行うに際して第１及び第２チェックバルブ４０１，４０２が自動で開閉されるので、第１実施形態のように、上記の過程を行う際に止めねじ４４を緩めたり締めるなどの作業が省かれ、作業の便宜性及び迅速性が図られる。
【００４６】
図１２及び図１３は、本発明の第３実施形態によるピストン構造を示す図であり、図１４乃至図１６は、本実施形態によるピストンの作用を示す図である。第３実施形態は、上記の第２実施形態と略同様に構成され、ただし、ピストン本体１０Ｂの前方側において容器ｂの内周面と１０〜１００μｍの隙間（Ｈ）（図１４参照）を維持することで、脂肪は残し、フリーオイルは通過させるフィルターリング外周面１４を形成し、このフィルターリング外周面１４とパッキン２０との間にピストン本体１０Ｂのフリーオイル排出口３００と連通する貫通穴１５を複数個形成する点と、キャップ１３Ａに貫通穴を形成しない点と、フィルターを使用しない点が異なる。したがって、第２実施形態と同一の部分には同一の符号を付し、その詳細説明は省略する。
【００４７】
このような第３実施形態の構成によれば、第１実施形態及び第２実施形態と同様に、脂肪吸入過程、純粋脂肪分離過程、脂肪移植過程を行うことができる。すなわち、脂肪吸入過程では、図１４に示すように、ピストンａの後方空間に陰圧を形成すると、後方側の第２チェックバルブ４０２の開閉部４０２ｂは、陰圧により、フリーオイル排出口３００から離れて開放され、前方側チェックバルブ４０１の開閉部４０１ｂは、後方空間の陰圧によりフリーオイル排出口３００により強く密着されてフリーオイル排出口３００を閉じるので、ピストンａを容器ｂの後方空間に移動させ、ピストンａの前方空間に、人体から採取した脂肪を貯蔵可能になる。
【００４８】
また、脂肪吸入が完了した後、遠心分離機１４０（図５の（ｂ）参照）による純粋脂肪分離過程では、図１５に示すように、前方側の第１チェックバルブ４０１の開閉部４０１ｂは、遠心分離機の遠心力により遠心力作用方向に変形されるので、フリーオイル排出口３００から離れて開放される。これと同時に、ウェイト６０は、遠心力によりピストンａを前方側に加圧して前方空間の脂肪を圧搾するので、フリーオイルは、フリーオイル排出口３００に流入し、この流入したフリーオイルにより、後方側の第２チェックバルブ４０２の開閉部４０２ｂは押し出されて開放され、これにより、両側の第１及び第２チェックバルブ４０１ｂ，４０２ｂとも開放される。したがって、フリーオイルは、フリーオイル排出口３００を通ってピストンａの前方空間から後方空間に排出可能とされる。
【００４９】
そして、容器ｂ内の脂肪は、比重差により血液＋体液、脂肪成分の順に分離され、遠心分離の間に容器の上層は脂肪成分により占められ、脂肪成分は、容器ｂの内周面と１０〜１００μｍの隙間を維持するピストン本体１０Ｂのフィルターリング外周面１４によりろ過され、脂肪細胞は通過されなく、フリーオイルは通過することになる。フィルターリング外周面１４を通過したフリーオイルは、貫通穴１５を通ってフリーオイル排出口３００に移動し、続いてフリーオイル排出口３００を通過することによって、ピストンａの後方に自動で排出される。
【００５０】
また、脂肪移植過程では、図１６に示すように、ピストンａの後方空間に陽圧を加えると、後方側の第２チェックバルブ４０２の開閉部４０２ｂは、陽圧によりフリーオイル排出口３００により強く密着されて閉じる。したがって、陽圧によりピストンａを前方側に移動させ、脂肪を身体に直接注入したり、純粋脂肪を適宜形態の注射器に移して身体に注入することができる。
【００５１】
このように、第３実施形態の構成によっても第１実施形態及び第２実施形態と同様の脂肪吸入過程、純粋脂肪分離過程及び脂肪移植過程を行うことができ、さらに、これらの過程を行うに際して両側の第１及び第２チェックバルブが自動で開閉されるので、第１実施形態と違い、上記の過程を行う際に止めねじ４４を緩めたり締めたりする面倒な作業が省かれ、作業の便宜性及び迅速性が図られる。また、第２実施形態と違いフィルターを使用しないので、部品減少によるコスト低減及び組立性の向上とった利点が得られる。
【００５２】
図１７及び図１８は、本発明の第４実施形態によるピストン構造を示す図であり、図１９乃至図２１は、本実施形態によるピストンの作用を示す図である。第４実施形態は、第３実施形態と略同様に構成され、ただし、ピストン本体１０Ｃのフリーオイル排出口３０と開閉手段４０の構成を第１実施形態のそれとした点が異なる。したがって、第１実施形態及び第３実施形態と同一の部分には同一の符号を付し、その詳細説明は省略する。
【００５３】
このような第４実施形態の構成によれば、第１実施形態乃至第３実施形態と同様に、脂肪吸入過程、純粋脂肪分離過程、脂肪移植過程を行うことができる。すなわち、脂肪吸入過程では、図１９に示すように、ロックねじ４４を締め付けてフリーオイル排出口３０をパッキン４３で密閉した後、ピストンａの後方空間に陰圧を形成すると、ピストンａが容器ｂの後方空間に移動され、ピストンａの前方空間に人体から採取した脂肪が貯蔵可能になる。
【００５４】
また、脂肪吸入が完了した後、遠心分離機１４０（図５の（ｂ）参照）による純粋脂肪分離過程では、図２０に示すように、止めねじ４４を緩めてパッキン４３とフリーオイル排出口３０との間に隙間を形成することで、フリーオイル排出口３０が開放される。この状態で、遠心分離機１４０により回転させて遠心力が働くようにすると、ウェイト６０は、遠心力によりピストンａを前方側に加圧して前方空間の脂肪を圧搾するので、フリーオイルは、開放されたフリーオイル排出口３０を通ってピストンａの前方空間から後方空間に排出されるようになる。そして、容器ｂ内の脂肪は、比重差により血液＋体液、脂肪成分の順に分離され、遠心分離間容器の上層は脂肪成分により占められ、脂肪成分は、容器ｂの内周面と１０〜１００μｍの間隔を維持するピストン本体１０Ｃのフィルターリング外周面１４によりろ過され、脂肪細胞は残り、フリーオイルは通過するようになる。フィルターリング外周面１４を通過したフリーオイルは、貫通穴１５からフリーオイル排出口３０を通ってピストンａの後方に自動で排出される。
【００５５】
また、脂肪移植過程は、図２１に示すように、止めねじ４４を再び締め付けてフリーオイル排出口３０を閉じた後、ピストンａの後方空間に陽圧を形成することで、ピストンａを前方側に移動させ、脂肪を直接身体に注入したり、純粋脂肪を適宜形態の注射器に移して身体に注入することができる。
【００５６】
このように、第４実施形態の構成によっても、第１実施形態乃至第３実施形態と同様に脂肪吸入過程、純粋脂肪分離過程及び脂肪移植過程を行うことができ、さらに、止めねじ４４の代わりにフリーオイル排出口３０のねじ穴４１に螺合可能なねじ部を持つシャフト（図示せず）を使用する場合、ピストンの後方空間に陰圧や陽圧を形成せずに手作業で直接ピストンａを作動させることも可能である。
【００５７】
また、第４実施形態の構成によれば、第１及び第２実施形態のフィルター５０と、第２及び第３実施形態のチェックバルブ４０１，４０２を使用しなくて済むので、特に小型の脂肪吸入移植用注射器に好適であり、かつ、ピストンの後方空間に陰圧や陽圧を形成し難い注射器に效果的に使用することができる。
【００５８】
以上説明の如く、本発明は、内部にフィルターリング手段を備えたピストンにより吸入された脂肪とフリーオイル成分を效果的に分離可能とする技術思想を持つもので、上記の各実施形態に制限されず、本発明の範囲に属する多様な方式の実施形態があることは言うまでもない。
【産業上の利用可能性】
【００５９】
本発明の脂肪吸入移植用注射器のピストンは、内部にフィルターが備えられたピストンを用いて吸入した脂肪のフリーオイル成分を、容易に分離するとともにピストン後方に自動で排出させられるため、脂肪吸入過程、純粋脂肪分離過程及び脂肪移植過程時に便利に使用することができる。
【図面の簡単な説明】
【００６０】
【図１】本発明の第１実施形態によるピストンの分離構成図である。
【図２】本発明の第１実施形態によるピストンの結合状態を示す断面図である。
【図３】本発明の第１実施形態によるピストンを容器に結合した状態を示す断面図である。
【図４】本発明の第１実施形態によるピストンの要部を示す分解断面図である。
【図５】本発明による脂肪吸入、脂肪分離及び移植過程を示す図である。
【図６】本発明によるピストンと一般ピストンを使って吸入した脂肪を遠心分離した結果を比較した図である。
【図７】本発明の第２実施形態によるピストンの分離構成図である。
【図８】本発明の第２実施形態によるピストンの結合状態を示す断面図である。
【図９−１１】本発明の第２実施形態によるピストンの動作状態を示す図である。
【図１２】本発明の第３実施形態によるピストンの分離構成図である。
【図１３】本発明の第３実施形態によるピストンの結合状態を示す断面図である。
【図１４−１６】本発明の第３実施形態によるピストンの動作状態を示す図である。
【図１７】本発明の第４実施形態によるピストンの分離構成図である。
【図１８】本発明の第４実施形態によるピストンの結合状態を示す断面図である。
【図１９−２１】本発明の第４実施形態によるピストンの動作状態を示す図である。
【図１】
2007533396.tif 000003
【図２】
2007533396.tif 000004
【図３】
2007533396.tif 000005
【図４】
2007533396.tif 000006
【図５】
2007533396.tif 000007
【図６】
2007533396.tif 000008
【図７】
2007533396.tif 000009
【図８】
2007533396.tif 000010
【図９】
2007533396.tif 000011
【図１０】
2007533396.tif 000012
【図１１】
2007533396.tif 000013
【図１２】
2007533396.tif 000014
【図１３】
2007533396.tif 000015
【図１４】
2007533396.tif 000016
【図１５】
2007533396.tif 000017
【図１６】
2007533396.tif 000018
【図１７】
2007533396.tif 000019
【図１８】
2007533396.tif 000020
【図１９】
2007533396.tif 000021
【図２０】
2007533396.tif 000022
【図２１】
2007533396.tif 000023
【誤訳訂正書】
【提出日】平成17年11月24日(2005.11.24)
【誤訳訂正１】
【訂正対象書類名】図面
【訂正対象項目名】図５
【訂正方法】追加
【訂正の内容】
【図５】
2007533396.tif 000024
【誤訳訂正２】
【訂正対象書類名】図面
【訂正対象項目名】図６
【訂正方法】追加
【訂正の内容】
【図６】
2007533396.tif 000025
【誤訳訂正３】
【訂正対象書類名】図面
【訂正対象項目名】図９
【訂正方法】追加
【訂正の内容】
【図９】
2007533396.tif 000026
【誤訳訂正４】
【訂正対象書類名】図面
【訂正対象項目名】図１０
【訂正方法】追加
【訂正の内容】
【図１０】
2007533396.tif 000027
【誤訳訂正５】
【訂正対象書類名】図面
【訂正対象項目名】図１１
【訂正方法】追加
【訂正の内容】
【図１１】
2007533396.tif 000028
【誤訳訂正６】
【訂正対象書類名】図面
【訂正対象項目名】図１４
【訂正方法】追加
【訂正の内容】
【図１４】
2007533396.tif 000029
【誤訳訂正７】
【訂正対象書類名】図面
【訂正対象項目名】図１５
【訂正方法】追加
【訂正の内容】
【図１５】
2007533396.tif 000030
【誤訳訂正８】
【訂正対象書類名】図面
【訂正対象項目名】図１６
【訂正方法】追加
【訂正の内容】
【図１６】
2007533396.tif 000031
【誤訳訂正９】
【訂正対象書類名】図面
【訂正対象項目名】図１９
【訂正方法】追加
【訂正の内容】
【図１９】
2007533396.tif 000032
【誤訳訂正１０】
【訂正対象書類名】図面
【訂正対象項目名】図２０
【訂正方法】追加
【訂正の内容】
【図２０】
2007533396.tif 000033
【誤訳訂正１１】
【訂正対象書類名】図面
【訂正対象項目名】図２１
【訂正方法】追加
【訂正の内容】
【図２１】
2007533396.tif 000034
【国際調査報告】
2007533396.tif 000035